(57)【要約】【課題】磁選を確実に行うことができるとともに、全体の設備費を抑制し、かつ設備全体の大きさを抑えることが可能な振動篩機を提供する。【解決手段】振動篩機１０は、上方から供給される粉体を、加振されながら篩い分ける篩網と、この篩網を通り抜けた粉体を外部へ排出する第１排出口１５と、を含んで構成されている。そして、篩網を通り抜けた粉体から磁着物を取り除く着磁体１４が、粉体が、篩網から第１排出口１５までの間を通過する位置に配置されている。この構成により、篩網を通り抜けた粉体が、振動篩機１０を通過する粉体の単位空間あたりの割合がほぼ同じ状態で、着磁体１４が配置された部分を通るので、粉体が高い分散性を維持したまま着磁体１４により磁着物が除去される。これにより磁選が確実に行われる。【選択図】図１
2020065986.tif 000002
【特許請求の範囲】
【請求項１】
上方から供給される粉体を、加振されながら篩い分ける篩網と、
該篩網を通り抜けた前記粉体を外部へ排出する第１排出口と、を含んで構成され、
前記篩網を通り抜けた前記粉体から磁着物を取り除く着磁体が、
前記粉体が前記篩網から前記第１排出口までの間を通過する位置に配置されている、
ことを特徴とする振動篩機。
【請求項２】
前記着磁体が振動している、
ことを特徴とする請求項１に記載の振動篩機。
【請求項３】
前記篩網が、上下２段に設けられており、
上側の前記篩網の目開きと、下側の前記篩網の目開きとが同じである、
ことを特徴とする請求項１または２に記載の振動篩機。
【請求項４】
前記篩網を振動させるための超音波振動装置が設けられている、
ことを特徴とする請求項１から請求項３のいずれかに記載の振動篩機。
【請求項５】
前記篩網の網材が磁性体である、
ことを特徴とする請求項１から請求項４のいずれかに記載の振動篩機。
【請求項６】
前記着磁体の性能領域の最大長さが、前記篩網の性能領域の最大長さの９０％以上１００％以下である、
ことを特徴とする請求項１から請求項５のいずれかに記載の振動篩機。
【発明の詳細な説明】
【技術分野】
【０００１】
本発明は、振動篩機に関する。さらに詳しくは、篩網を加振しながら粉体を篩い分ける振動篩機に関する。
【背景技術】
【０００２】
篩網の上に供給された粉体を、篩網を振動させることにより、篩網を通過する粉体と通過しない粉体とを篩い分けるよう構成された振動篩機が広く知られている。特許文献１には、このような振動篩機であって、篩網および受皿の帯電を抑制したものが開示されている。
【０００３】
振動篩機は、医薬品などの化学関係の製造工程、鉄粉などの金属関係の製造工程、陶土などの窯業関係の製造工程、小麦粉などの食品関係の製造工程などで用いられている。近年では、リチウムイオン電池の正極活物質などの製造工程でも用いられている。例えば、振動篩機は、正極活物質そのものの篩い分けに用いられたり、正極活物質となる前段階の物質、すなわち水酸化ニッケル、水酸化マンガン、水酸化コバルトまたは水酸化アルミニウム、更にはその酸化物の篩い分けに用いられたりする。
【先行技術文献】
【特許文献】
【０００４】
【特許文献１】特開２０１４−７９７０６号公報
【発明の概要】
【発明が解決しようとする課題】
【０００５】
上記のリチウムイオン二次電池の正極活物質などでは、金属異物または粗大粒子異物が混入していた場合、リチウムイオン二次電池を構成しているセパレータを金属異物などが突き抜け、電池がショートしたり、このショートにより発火したりする危険性が存在する。そのため、リチウムイオン二次電池全体の製造工程では、混入防止対策として、各工程のクローズ化、陽圧化、金属材料の使用制限などが行われている。
リチウムイオン二次電池の正極活物質などの製造工程では、振動篩機が用いられて粗大粒子異物が取り除かれた後、磁選機により金属異物が取り除かれる。従来、振動篩機と磁選機とは、各々のメーカが製造したものが製造工程の中で並べられて用いられていた。この場合、振動篩機から排出される粉体は、振動篩機の胴回りよりも細い配管を通過して磁選機に入る。そして磁選機では、その細い配管とほぼ同程度の配管中を通過する粉体に対して磁選が行われる。細い配管中では、通過する粉体の単位空間に占める割合が増加するため、磁選が確実に行われなかったり、複数の磁選機を直列に並べて磁選の確実性をあげる必要が生じたりしていた。
【０００６】
しかるに、磁選が確実に行われない場合には、電池の不良品率が高止まりするという問題がある。また、複数の磁選機を直列に並べる場合は、全体の設備費が高くなったり、設備全体の大きさが大きくなったりするという問題がある。
【０００７】
本発明は上記事情に鑑み、磁選を確実に行うことができるとともに、全体の設備費を抑制し、かつ設備全体の大きさを抑えることが可能な振動篩機を提供することを目的とする。
【課題を解決するための手段】
【０００８】
第１発明の振動篩機は、上方から供給される粉体を、加振されながら篩い分ける篩網と、該篩網を通り抜けた前記粉体を外部へ排出する第１排出口と、を含んで構成され、前記篩網を通り抜けた前記粉体から磁着物を取り除く着磁体が、前記粉体が前記篩網から前記第１排出口までの間を通過する位置に配置されていることを特徴とする。
第２発明の振動篩機は、第１発明において、前記着磁体が振動していることを特徴とする。
第３発明の振動篩機は、第１発明または第２発明において、前記篩網が、上下２段に設けられており、上側の前記篩網の目開きと、下側の前記篩網の目開きとが同じであることを特徴とする。
第４発明の振動篩機は、第１発明から第３発明のいずれかにおいて、前記篩網を振動させるための超音波振動装置が設けられていることを特徴とする。
第５発明の振動篩機は、第１発明から第４発明のいずれかにおいて、前記篩網の網材が磁性体であることを特徴とする。
第６発明の振動篩機は、第１発明から第５発明のいずれかにおいて、前記着磁体の性能領域の最大長さが、前記篩網の性能領域の最大長さの９０％以上１００％以下であることを特徴とする。
【発明の効果】
【０００９】
第１発明によれば、粉体が篩網から第１排出口までの間を通過する位置に着磁体が配置されていることにより、篩網を通り抜けた粉体が、振動篩機を通過する粉体の単位空間あたりの割合がほぼ同じ状態で、着磁体が配置された部分を通るので、粉体が高い分散性を維持したまま着磁体により磁着物が除去される。これにより磁選が確実に行われる。また、振動篩機とは別に磁選機を設ける必要がないので、全体の設備費を抑制するとともに、設備全体の大きさを抑えることができる。
第２発明によれば、着磁体が振動していることにより、篩い分けされる粉体が弱磁性を有している場合であっても、その粉体が着磁体に付着したままになることを防止でき、これにより磁着物の除去能力が落ちないので、さらに確実に磁着物が除去される。
第３発明によれば、篩網が上下２段に設けられており、上側の篩網の目開きと、下側の篩網の目開きが同じであることにより、粗大粒子異物の保証が容易になる。
第４発明によれば、篩網を振動させるための超音波振動装置が設けられていることにより、粉体が篩網を通過する速度をより速くすることができ、振動篩機の効率が向上する。
第５発明によれば、篩網の網材が磁性体であることにより、振動篩機の稼働中に篩網の一部が離脱する破損があっても、その離脱した部分を着磁体により除去できるので、磁選がより確実に行われる。
第６発明によれば、着磁体の性能領域の最大長さが、篩網の性能領域の最大長さの９０％以上１００％以下であることにより、粉体の分散性が維持でき、より確実に磁着物の除去が行われる。
【図面の簡単な説明】
【００１０】
【図１】本発明の実施形態に係る振動篩機の正面図である。
【図２】図１の振動篩機の篩網の性能領域を示す平面図である。
【図３】図１の振動篩機の着磁体の性能領域を示す平面図である。
【発明を実施するための形態】
【００１１】
つぎに、本発明の実施形態を図面に基づき説明する。ただし、以下に示す実施の形態は、本発明の技術思想を具体化するための振動篩機を例示するものであって、本発明は振動篩機を以下のものに特定しない。なお、各図面が示す部材の大きさまたは位置関係等は、説明を明確にするため誇張していることがある。
【００１２】
図１には本発明の一実施形態に係る振動篩機１０の正面図を示す。上下の中心線から右側は断面図になっている。本実施形態に係る振動篩機１０は、投入口４６から篩容器１１内に投入された粉体を、篩容器１１内部に設けられた篩網（本明細書では上側篩網１２および下側篩網１３）により篩い分け、あらかじめ定められた粒径よりも大きい粒径の粉体を第２排出口１６から排出し、あらかじめ定められた粒径以下の粒径の粉体を第１排出口１５から排出するように作動する。
【００１３】
本実施形態に係る振動篩機１０は、粉体が投入される篩容器１１と、この篩容器１１の下方で篩容器１１を支持する架台２６と、篩容器１１と架台２６との間に位置している複数のコイルバネ２１と、篩容器１１全体を加振する振動装置２０と、を含んで構成されている。また、篩容器１１には、上方から供給される粉体を、加振されながら篩い分ける篩網と、この篩網を通り抜けた粉体を外部へ排出する第１排出口１５と、が設けられており、篩網を通り抜けた粉体から磁着物を取り除く着磁体１４が、粉体が篩網から第１排出口１５までの間を通過する位置に配置されている。本実施形態に係る振動篩機１０は、架台２６内に設置された振動装置２０により、篩容器１１全体を上下に加振しており、この加振により篩容器１１内の篩網が加振され、粉体の篩い分けが行われる装置である。また、篩容器１１全体が加振されることにより、着磁体１４も加振されている。
【００１４】
粉体が、篩網から第１排出口１５までの間を通過する位置に着磁体１４が配置されていることにより、篩網を通り抜けた粉体が、振動篩機１０を通過する粉体の単位空間あたりの割合がほぼ同じ状態で、着磁体１４が配置された部分を通るので、粉体が高い分散性を維持したまま着磁体１４により磁着物が除去される。これにより磁選が確実に行われる。また、振動篩機１０とは別に磁選機を設ける必要がないので、全体の設備費を抑制するとともに、設備全体の大きさを抑えることができる。
【００１５】
着磁体１４が振動していることにより、篩い分けされる粉体が弱磁性を有している場合であっても、その粉体が着磁体１４に付着したままになることを防止でき、これにより磁着物の除去能力が落ちないので、さらに確実に磁着物が除去される。
【００１６】
本実施形態に係る篩容器１１の全体の形状は円筒体である。篩容器１１は、扁平な円筒体である部材を縦に積み重ねて構成されている。篩容器１１を構成する部材としては、上から第１枠体３０、第２枠体３１、第３枠体３２、第４枠体３３である。第１枠体３０と第２枠体３１との間には、上側篩網１２が配置されている。すなわち上側篩網１２は第１枠体３０と第２枠体３１に挟まれている。第２枠体３１と第３枠体３２との間には下側篩網１３が配置されている。すなわち下側篩網１３は、第２枠体３１と第３枠体３２との間に挟まれている。第３枠体３２と第４枠体との間には着磁体１４が配置されている。すなわち着磁体１４が備えられた部材が第３枠体３２と第４枠体３３との間に挟まれている。
【００１７】
第１枠体３０は、投入される粉体が飛散しないように蓋を有している。この蓋には粉体の投入口１１ａが設けられている。この粉体の投入口１１ａは、例えば、図示しないホッパーなどに接続され、このホッパーから粉体が振動篩機１０に投入される。また第１枠体３０には、第２排出口１６が設けられている。この第２排出口１６から、上側篩網１２を通過しなかった粉体が排出される。
【００１８】
第２枠体３１には、超音波振動装置１８が設けられている。この超音波振動装置１８は、上側篩網１２の網叩き１９を動作させ、上側篩網１２をあらかじめ定められた振動数、および振幅で加振する。すなわち上側篩網１２には、篩容器１１全体が加振されることによる振動と、超音波振動装置１８からの振動と、という２種類の異なる振動が加えられる。
【００１９】
篩網を振動させるための超音波振動装置１８が設けられていることにより、粉体が篩網を通過する速度をより速くすることができ、振動篩機１０の効率が向上する。
【００２０】
本実施形態では、篩網として上側篩網１２と下側篩網１３との２つが設けられているが、これに限定されない。例えば篩網を１つとすることも可能である。また、本実施形態では、２つ設けられた篩網において、上側篩網１２の目開きと下側篩網１３の目開きは同じ大きさとしている。ただしこれに限定されるものではなく、上側篩網１２の目開きを、下側篩網１３の目開きよりも大きくすることも可能である。また本実施形態では、上側篩網１２および下側篩網１３の網材は磁性体である。具体的に網材はダーマロイが採用されている。
【００２１】
篩網が上下２段に設けられており、上側の篩網（上側篩網１２）の目開きと、下側の篩網（下側篩網１３）の目開きが同じであることにより、粗大粒子異物の保証が容易になる。
【００２２】
篩網の網材が磁性体であることにより、振動篩機１０の稼働中に篩網の一部が離脱する破損があっても、その離脱した部分を着磁体１４により除去できるので、磁選がより確実に行われる。
【００２３】
図２には、図１のII−II矢視での断面図を示す。この断面図は、下側篩網１３および第２枠体３１のみを示した平面図である。下側篩網１３の目開きは、篩い分けされる粉体の粒径により決定される。例えば目開きは２００メッシュとすることができる。また、本明細書では、図２のＲ１で示される長さを下側篩網１３の性能領域の最大長さとする。「性能領域」とは、下側篩網１３が篩い分けの性能を発揮できる水平面内の領域を意味し、具体的には下側篩網１３において、第２枠体３１の円筒側面の内側の領域を意味する。この領域において、下側篩網１３は粉体の篩い分けが可能となるからである。また、「最大長さ」は、この性能領域が円形である場合は、直径の長さが該当し、角形である場合は、角形の辺における任意の２点を結ぶ線分のうち最も長い線分の長さが該当する。
【００２４】
図３には、図１のIII−III矢視での断面図を示す。この断面図は、着磁体１４および第３枠体３２のみを示した平面図である。本実施形態では着磁体１４は、円柱状の永久磁石である。本実施形態では複数の着磁体１４が、図１に示すように、上下２段に千鳥状に配置されている。このような配置は、図３に示すように、上から見た場合は水平に並んでいるように表される。この着磁体１４の形状または構成は、本実施形態で表された形状または構成に限定されない。例えば着磁体１４の形状は、四角柱などの多角柱形状とすることもできる。また、円柱状の着磁体１４を上下に格子状に並べることも可能である。
【００２５】
本明細書では、図３のＲ２で示される長さを着磁体１４の性能領域の最大長さとする。「性能領域」は、着磁体１４が磁着の性能を発揮できる水平面内の領域を意味し、具体的には、着磁体１４が配置されている部分において、第３枠体３２の円筒側面の内側の領域を意味する。この領域において、着磁体１４は磁着物の除去が可能となるからである。また、「最大長さ」は、性能領域が円形である場合は、直径の長さが該当し、角形である場合は、角形の辺における任意の２点を結ぶ線分のうち最も長い線分の長さが該当する。
【００２６】
本実施形態では、着磁体１４の性能領域の最大長さが、下側篩網１３の性能領域の最大長さと同じとなっている。なお、この両性能領域の長さについては、同じである必要はなく、例えば、着磁体１４の性能領域の最大長さが、下側篩網１３の性能領域の最大長さの９０％以上１００％以下であれば問題ない。また、本実施形態では２つある篩網のうち下側に位置するものを対象にしたがこれに限定されず、上側に位置するものを対象にすることもできる。
【００２７】
着磁体１４の性能領域の最大長さが、篩網の性能領域の最大長さの９０％以上１００％以下であることにより、粉体の分散性が維持でき、より確実に磁着物の除去が行われる。
【００２８】
図１に示すように、第４枠体３３には篩網、すなわち本実施形態では上側篩網１２および下側篩網１３の両方を通り抜けた粉体を外部へ排出する第１排出口１５が設けられている。また、第４枠体３３には、下側篩網１３を通り抜けた粉体を集約するための粉体受１７が設けられている。この粉体受１７は、図１に示すように、篩容器１１の軸心に対して所定の角度を持って配置されている。このため下側篩網１３を通り抜けた粉体は、図１において右側から左側へ、重力により移動し、第１排出口１５へ導かれ、この第１排出口１５から排出される。なお、第１排出口１５の軸心と垂直な面は、大きくても篩容器１１の内径の５０％である。内径がこれよりも大きいと、粉体の移送のための配管径が大きくなりすぎ、設備が大型化しすぎるからである。すなわちこの第１排出口１５を通過した先が本実施形態の振動篩機１０の外部となる。
【００２９】
篩容器１１を構成する第４枠体３３は、複数のコイルバネ２１を介して、架台２６に支持されている。コイルバネ２１の数またはばね定数は、篩容器１１に付加される振動の振動数または振幅、さらには篩容器１１内に供給される粉体の重量などにより、あらかじめ定められている。
【００３０】
架台２６は、振動する篩容器１１を支持することができる構成を有している。また、架台２６は、篩容器１１の振動が床面に伝播するのを防止するための、複数の防振ゴム２７により支持されている。
【００３１】
架台２６内には、篩容器１１全体を振動させるための振動装置２０が設けられている。この振動装置２０は、加振装置２４とアンバランスウェイト２５とを含んで構成されている。加振装置２４は、架台２６内に同じように収容されているモータ２８により、Ｖベルト２３とプーリ２２を介してアンバランスウェイト２５を回転させ、この回転により篩容器１１全体を振動させる。
【００３２】
本実施形態に係る振動篩機１０は、複数の枠体を積み重ねた篩容器１１を有する構成であったがこれに限定されない。例えば一つの枠体中に、一つのまたは複数の篩網および着磁体１４のカセットを挿入し、縦にそれらが並ぶ形態としても問題ない。
【００３３】
また、本実施形態に係る振動篩機１０では、第４枠体３３に、下側篩網１３を通り抜けた粉体が一方の側に流れるような粉体受１７が設けられたが、粉体受１７の形態はこれに限定されない。例えば、両側に流れるような形態としたり、第４枠体３３の真下に抜けるような形態としたりすることも可能である。
【００３４】
加えて、本実施形態に係る振動篩機１０では、篩網と着磁体１４とを有する篩容器１１全体が振動装置２０により加振される構成であったがこれに限定されない。例えば、振動装置２０による加振される篩容器１１には篩網を設け、加振されない部分に着磁体１４を設けることも可能である。
【符号の説明】
【００３５】
１０  振動篩機
１２  上側篩網（篩網）
１３  下側篩網（篩網）
１４  着磁体
１５  第１排出口
１８  超音波振動装置
【図１】
2020065986.tif 000003
【図２】
2020065986.tif 000004
【図３】
2020065986.tif 000005